(57)【要約】【課題】本発明は、液体収容容器内の液体を確実に取出すことを目的とする。【解決手段】加圧気体を用いて液体収容容器に収容されている液体を取出す液体取出し装置において、液体収容容器に設けられた取出し孔に取付けられ貫通孔を有した筒状のガイド部材と、先端がガイド部材の貫通孔を介して液体収容容器内に進入すると共に、先端が容器底面に当接した際、先端と底面との間に内外を連通する第一の連通路を形成するごとくし、他端が液体収納容器外に突出する取出し管と、該取出し管の他端側に設けられ取出し管内の通路を連通・遮断する弁機構と、先端が該ガイド部材の貫通孔に接続するよう取付けられ他端が加圧源に連結される加圧管と、を備え、該取出し孔と該ガイド部材、該ガイド部材と該取出し管とをそれぞれ摺動自在に構成したことを特徴とする液体取出し装置である。【選択図】図１
2011011795.tif 000002
【特許請求の範囲】
【請求項１】
加圧気体を用いて液体収容容器に収容されている液体を取出す液体取出し装置において、液体収容容器に設けられた取出し孔に取付けられ貫通孔を有した筒状のガイド部材と、先端がガイド部材の貫通孔を介して液体収容容器内に進入すると共に、先端が容器底面に当接した際、先端と底面との間に内外を連通する第一の連通路を形成するごとくし、他端が液体収納容器外に突出する取出し管と、取出し管の他端側に設けられ取出し管内の通路を連通・遮断する弁機構と、先端がガイド部材の貫通孔に接続するよう取付けられ他端が加圧源に連結される加圧管と、を備え、取出し孔とガイド部材、ガイド部材と取出し管とをそれぞれ摺動自在に構成したことを特徴とする液体取出し装置。
【請求項２】
前記取出し管の先端が液体収容容器の底部と接した位置で取出し管を保持する保持部材と、取出し管の先端部に設けられた開口部と、この開口部を開閉可能にするよう取出し管に設けられたフロート部材と、フロート部材が取出し管から脱落することを防止するストッパーと、を備えたことを特徴とする請求項１記載の液体取出し装置。
【請求項３】
前記開口部を閉塞する方向にフロート部材を付勢するバネを設けたことを特徴とする請求項２記載の液体取出し装置。
【請求項４】
前記取出し管の先端部に内外を連通する第二の連通路を形成し、しかも、第二の連通路は外側開口を内側開口よりも底面側に位置させるよう取出し管の軸線に対し傾斜させて設けたことを特徴とする請求項１記載の液体取出し装置。
【発明の詳細な説明】
【技術分野】
【０００１】
本発明は、液体収納容器の内部に存在する液体を取出す液体取出し装置に関する。
【背景技術】
【０００２】
従来、液体収容容器の一例として給油所や自家給油設備に用いる地下タンクは、定期的に漏洩検査を実施することが法律で義務づけられている。この種の地下タンクの漏洩検査として、被検査対象を加圧の状態にして漏洩を検査する加圧検査がある。この加圧検査の場合には、被検査対象に残存している液体を被検査対象から取出す必要がある。液体取出しに際し、従来の技術では液体収容容器の液体取出孔に下端が固定されている筒状本体と、筒状本体内に挿通され、先端が液体収容容器の液体内に延ばされる液体取出し管と、液体取出し管を筒状本体の小径部に気密的に固定している取出し管固定部材とを備え、筒状本体の側面に貫通孔が設けられており、貫通孔から加圧気体を注入し得るように構成されている、液体取出しもしくはガス除去装置があった。このような液体取出し装置は例えば下記の特許文献１に開示されている。
【先行技術文献】
【特許文献】
【０００３】
【特許文献１】特開２００４−２７６９１９  公報
【発明の概要】
【発明が解決しようとする課題】
【０００４】
従来の技術では液体取出し管の先端が液体内に延ばされるように構成されているとの記載があるのみで、図面においても液体取出し管の先端と容器の底部との位置関係が不明であり、被検査体から液体を取出す際、液体を確実に取出すことが難しいものである。
そこで、本発明は、液体収容容器内の液体を確実に取出すことができる液体取出し装置を提供することを目的とする。
【課題を解決するための手段】
【０００５】
上記の課題を解決するために、請求項１記載の発明は、加圧気体を用いて液体収容容器に収容されている液体を取出す液体取出し装置において、液体収容容器に設けられた取出し孔に取付けられ貫通孔を有した筒状のガイド部材と、先端がガイド部材の貫通孔を介して液体収容容器内に進入すると共に、先端が容器底面に当接した際、先端と底面との間に内外を連通する第一の連通路を形成するごとくし、他端が液体収容容器外に突出する取出し管と、取出し管の他端側に設けられ取出し管内の通路を連通・遮断する弁機構と、先端がガイド部材の貫通孔に接続するよう取付けられ他端が加圧源に連結される加圧管と、を備え、取出し孔とガイド部材、ガイド部材と取出し管とをそれぞれ摺動自在に構成したことを特徴とする液体取出し装置である。
【０００６】
請求項２記載の発明は、前記取出し管の先端が液体収容容器の底部と接した位置で取出し管を保持する保持部材と、取出し管の先端部に設けられた開口部と、この開口部を開閉可能にするよう取出し管に設けられたフロート部材と、フロート部材が取出し管から脱落することを防止するストッパーと、を備えたことを特徴とする請求項１記載の液体取出し装置である。
【０００７】
請求項３記載の発明は、前記開口部を閉塞する方向にフロート部材を付勢するバネを設けたことを特徴とする請求項２記載の液体取出し装置である。
【０００８】
請求項４記載の発明は、前記取出し管の先端部に内外を連通する第二の連通路を形成し、しかも、第二の連通路は外側開口を内側開口よりも底面側に位置させるよう取出し管の軸線に対し傾斜させて設けたことを特徴とする請求項１記載の液体取出し装置である。
【発明の効果】
【０００９】
上記請求項１記載の発明によれば、液体収容容器の加圧検査時における液体収容容器に残存している液体の取出しを行う場合、容器の深さに応じて取出し管の先端を常に液体収納容器の底面に当接させることができ、液体の取出しを確実に行うことができる。
【００１０】
また、液体収容容器内が加圧状態になった場合、取出し管が液体収容容器より外側に飛び出すので、検査作業員は液体収容容器が加圧状態になったことを目視で確認できる。これを確認した後、検査作業員は、取出し管を液体収容容器の底面側へ押し込み、取出し管の先端を液体収容容器の底面に当接するまで移動させて当接した位置に保持することで液体の取出しが確実にできる。
【００１１】
上記請求項２記載の発明によれば、液体収容容器の加圧検査時における液体収容容器に残存している液体の取出しを行う場合、保持部材により取出し管の先端が液体収容容器の底部と接した状態で保持されるので、検査作業員の位置保持の手間が軽減される。また、取出し管の先端部に設けられた開口部を液位に応じてフロート部材により開閉することで、液体収容容器に残存している液体をより早く取出すことができる。
【００１２】
上記請求項３記載の発明によれば、液体収容容器の加圧検査時における液体収容容器に残存している液体の取出しを行う際、取出し管の先端付近の取出し管外周とフロート部材の内周との間にごみ等が付着したとしてもフロート部材上部に設けられたバネのバネ力を常時作用させているためフロート部材が固着することを阻止でき、フロート部材による開口部の開閉動作の確実性を高めることができる。
【００１３】
上記請求項４記載の発明によれば、取出し管の先端付近に、外周開口部分が内側開口部分よりも底面側に位置するよう取出し管の軸線に対し傾斜させた第二の連通路を設けているので、液体収容容器から液体取出しを行う場合、外側から第二の連通路を介して内側に至る気体の通過により、第二の連通路の内側開口部分近傍に負圧が発生し、この負圧が取出し管内部に下方から第一の連通路を介して液体を導くための補助的な圧力として作用するため、より早く液体を取出すことができる。
【図面の簡単な説明】
【００１４】
【図１】本発明の第１実施例の液体取出し装置の縦断面図である。
【図２】本発明の第１実施例の液体取出し装置の液体取出し管の先端拡大縦断面図である。
【図３】本発明の第２実施例の液体取出し装置の縦断面図である。
【図４】本発明の第２実施例の液体取出し装置の液体取出し管の先端拡大縦断面図である。
【図５】本発明の第２実施例の液体取出し装置の液体取出し管の先端拡大縦断面図である。
【図６】本発明の第３実施例の液体取出し装置の液体取出し管の先端拡大縦断面図である。
【発明を実施するための形態】
【００１５】
以下、図面を参照して本発明を実施するための最良の形態について説明する。
【実施例１】
【００１６】
図１は本発明の液体取出し装置の第1実施例を示す縦断面図である。本発明の液体取出し装置が取付けられる地下タンク１（液体収容容器）には、頂部に取出し孔２を提供する立ち上がり管２ａが設けられている。液体取出し装置は、地下タンク１の取出し孔２に取付けられ、側壁に貫通孔３ａを有した筒状のガイド部材３と、先端部分がガイド部材３内を介して地下タンク１の液体内まで進入され他端が地下タンク１外に突出する先端面に切り欠き１２が設けられた取出し管４と、取出し管４の他端側に設けられ取出し管４内の通路を連通・遮断する弁本体８と、先端が貫通孔３ａに取付けられ他端が加圧源６に連結されている加圧管５と、で大略構成されている。地下タンク１に設けられた立ち上がり管２ａとガイド部材３との間、及び、前記ガイド部材３と取出し管４との間にはそれぞれ後述するシール部材１０が設けられており、これらシール部材１０によりガイド部材３及び取出し管４は摺動可能になされている。
【００１７】
地下タンク１の立ち上がり管２ａ上部外周には雄ネジ２ｂが形成されている。ガイド部材３を取出し孔２に挿入し立ち上がり管２ａに取付ける際には、フタ部材９の中間部に形成された環状溝９ａより下方に突出する筒部９ｂ内周に形成された雌ネジ９ｃを雄ネジ２ｂに螺合する。
【００１８】
フタ部材９の環状溝９ａには、内周側に環状リップ部１０ａが形成された環状のシール部材１０が設けられ、立ち上がり管２ａと前記フタ部材９が螺合する際、シール部材１０のリップ部１０ａがガイド部材３と圧着されることにより地下タンク１とガイド部材３との間の気密性が保たれる。ここで、前述したシール部材１０の環状リップ部１０ａは全体的に地下タンク１の底面に近づくよう傾斜されているので、地下タンク１内を加圧させた場合に地下タンク１とガイド部材３間において発生する圧力により地下タンク１とガイド部材３との気密性が向上されている。
【００１９】
ガイド部材３と取出し管４との取付けも前記と同様である。前記ガイド部材３の上部開口外周において雄ネジ３ｂが形成されている。取出し管４をガイド部材３に挿入しガイド部材３に取付ける際には、フタ部材１１の中間部に形成された環状溝１１ａより下方に突出する筒部１１ｂ内周に形成された雌ネジ１１ｃを雄ネジ３ｂに螺合する。
【００２０】
フタ部材１１の環状溝１１ａには、内周側に環状リップ部１０ａが形成された環状のシール部材１０が設けられ、ガイド部材３とフタ部材９が螺合する際、シール部材１０のリップ部１０ａが取出し管４と圧着されることによりガイド部材３と取出し管４との間の気密性が保たれる。ここで、前述したシール部材１０の環状リップ部１０ａは全体的に地下タンク１の底面に近づくよう傾斜されているので、地下タンク１内を加圧させた場合にガイド部材３と取出し管４との間において発生する圧力を利用してガイド部材３と取出し管４との気密性が向上されている。
【００２１】
貫通孔３ａには先端外周に雌ネジが形成され、左右に開口を有した筒体７が気密的に取付けられており、先端内周に雄ネジが形成された加圧管５と雌ネジが螺合し、筒体７を介して加圧管５とガイド部材３において気密性が保たれる。
【００２２】
内部に空洞を有した弁本体８は、空洞間を流れる液体の流れを遮断しあるいは連通させるコック８ａ（図示は省略するが、このコックは切換弁を具備している）を備えており、地下タンク１外へ突出された取出し管４と連結している。
【００２３】
図２は、第１図において丸印Ａを付した取出し管４の先端部分の拡大縦断面図である。図２に示すように取出し管４の先端面には内外を連通する第一の連通路としての切り欠き１２を周方向に間隔をおいて４ヶ所設けている。ここで、この切り欠き１２の総開口面積は、地下タンク１の底面に残留した液体を確実に取出す、すなわち、余すことなく排出しうる程度の値に設定している。なお、本実施例としては、第一の連通路を切り欠き１２により形成したが、別段、これに限らず取出し管４の底面との当接部において内外を連通する構造であれば良く、複数の孔や、多孔質部材により連通路を形成するようにしてもよい。
【００２４】
次に作用及び効果について説明する。例えば、地下タンク１に対して加圧検査を行う際、液体の取出し装置において取出し管４の先端部分が液体収容容器の底面に当接しない場合、ガイド部材３内において取出し管４を上下方向に摺動させることにより、容器の深さに応じて取出し管４の先端部分を液体収容容器の底面に当接した状態で保持させることができる。
【００２５】
その結果、寸法の異なる地下タンク１に液体取出し装置を取付けた場合でも、個々の地下タンク１の底面に先端が当接するよう寸法の異なる取出し管４を個々別々に用意する手間が省け、取出し管４の先端を地下タンク１の底面に位置させることができる。
【００２６】
また、例えば地下タンク１に対して加圧検査を行う際、容器に残存している液体を取出すため、液体を取出す装置において加圧ポンプから送圧されたガスや空気により地下タンク１内が加圧状態になった場合、ガイド部材３および取出し管４は地下タンク１外へ飛び出すので加圧状態になったことを検査作業員が目視で確認できる。これを確認した後、検査作業員は取出し管４を地下タンク１の底面側へ押し込み、取出し管４の先端を地下タンク１の底面に当接するまで移動させて当接した位置に保持することで液体の取出しが確実にできる。
【実施例２】
【００２７】
本発明の第２実施例を図３乃至図５に基づいて説明する。
【００２８】
図３は本発明の第２実施例の断面図である。図３乃至図５に示すように本発明は基本的には第１実施例と略同等の構成を有するが、付加構成として地下タンク１の立ち上がり管２ａに取付けられたフタ部材９の下端に当接するよう立ち上がり管２ａに嵌め込まれた第１のリング部材１９ａと、弁本体８の上部窪み部に嵌め込まれた第２のリング部材１９ｂと、両リング部材を連結するワイヤー１９ｃとを備えた保持部材１９と、本体部よりも外周の一部が小さい先端部分に適宜開口部１３が設けられており、先端に窪み１４を設けた取出し管４と、開口部１３と同程度の長さを有し先端部分の外周と摺動するような環状のフロート１５と、フロート１５を液位により上下方向に摺動させるバネ１６と、窪み１４に嵌め込まれる止め輪１７と、を備えている。ここで止め輪１７は、全体的に「Ｃ字」形状をしており径方向の一部が切り欠かれている。図においては右側に端面が見えている。そして切り欠き１２により、第一の連通路を形成している。
【００２９】
ここで、前述した保持部材１９の構成を詳しく述べる。第１のリング部材１９ａは、概ね「Ｃ型」形状をしており、地下タンク１の立ち上がり管２ａに取付けられたフタ部材９の下端に当接するよう立ち上がり管２ａに嵌め込まれている。第２のリング部材１９ｂも同様に概ね「Ｃ型」形状で弁本体８の上部窪み部に嵌め込まれている。そして、ワイヤー１９ｃの先端を第１のリング部材１９ａの係止部に、他端を第２のリング部材１９ｂの係止部に連結させる。このように保持部材１９により、取出し管４と立ち上がり管２ａの位置が拘束される。また、ワイヤー１９ｃを緊張状態に保持することにより、地下タンク１内が加圧状態となった場合でも取出し管４の先端が地下タンク１の底面に当接した状態で維持される。
【００３０】
これにより、地下タンク１を加圧した場合に取出し管４が地下タンク１より外側へ飛び出すことを防ぎ、かつ、常時、取出し管４の先端が地下タンク１の底面の位置に保持されるので、検査作業員が取出し管４の先端を地下タンク１の底面の位置に当接した状態で保持させる手間が軽減される。
【００３１】
図４及び図５は、図３に丸印Ｂを付した取出し管４の先端部分の拡大縦断面図を示すものである。図４において、取出し管４の外周の一部は小径となり、ストッパーとしての段差部１８が形成されている。また、取出し管４のより先端側には適宜、開口部１３が設けられており、最も先端側寄りに前述の止め輪１７が嵌め込まれる窪み１４が設けられている。
【００３２】
取付け方については、まず、バネ１６を取出し管４の先端部から挿入し、バネ１６の端部を段差部１８に当接させる。次に環状のフロート１５を取出し管４の先端部分に摺動可能に挿入する。そして、取出し管４の先端に設けられた窪み１４に止め輪１７を嵌め込むことによりフロート１５が取出し管４の先端から脱落することを防止する。
【００３３】
なお、バネ１６は液体の液位上昇の影響を受けフロート１５が取出し管４の軸方向の上方へ移動することにより付勢し、フロート１５が液位下降の影響を受けるとフロート１５を取出し管４の軸方向下方へ移動させる作用を有する。
【００３４】
次に作用及び効果について図４及び図５を用いて説明する。
【００３５】
図４は地下タンク１に内在している液体の液位が取出し管４の開口部１３よりも高い位置にある場合の取出し管４の先端部分の拡大図である。図５は地下タンク１に内在している液体が少ないかもしくは無い場合の取出し管４の先端部分の拡大図である。
【００３６】
図４に示すように地下タンク１に内在している液体の液位が開口部１３よりも高い位置にある場合には、フロート１５は液位上昇の影響を受け、浮力が作用し上方へ摺動する。その結果、先端部分の開口部１３はフロート１５の影響を受けないので全て開放されることになる。
【００３７】
このように、取出し管４の先端部分の開口部１３が全て開放されている状態であると、開口部１３に流入する液体の量は最も大きくなり、取出し管４内に流入する液体の量も最大となる。したがって、開口部１３が全て開放されている本実施例によるとより早く液体を取出すことができる。
【００３８】
次に地下タンク１内に内在している液体が液体取出し装置によって取出され、液体の量が減少していく状態についての取出し管４の先端部分における作用及び効果について述べる。
【００３９】
地下タンク１内に内在している液体が液体取出し装置によって取出されると、液体の量が減少すると共に液位が下降する。フロート１５は液位の影響を受け、フロート１５の自重とバネ１６のバネ力の作用により、液位に追従して取出し管４の外周を摺動しながら下降する。そして、フロート１５が液位に追従して下降することにより、先端部分の開口部１３はフロート１５により塞がれる部分が徐々に増え、開口面積は徐々に減少する。
【００４０】
このように、先端部分の開口部１３が液位に追従して下降するフロート１５により閉塞されてくると、加圧された気体が取出し管４内に流入することを防ぎ、地下タンク１内を加圧状態に保持したまま、液体を取出すことができるのでより早く液体を取出すことができる。
【００４１】
そして、図５に示すように液体取出し装置によって、地下タンク１に内在している液体が無いかもしくは少量である状態になると、フロート１５は自重とバネ１６のバネ力の作用により下方へ摺動するが、取出し管４の先端に設けられた窪み１４に嵌め込まれた止め輪１７に当接することで下方への摺動は制限され、地下タンク１の底面とは接しない。その結果、先端部分の開口部１３は全て閉塞されるが、取出し管４の先端の切り欠き１２は開放されることになる。
【００４２】
このように、先端部分の開口部１３は全て閉塞され、取出し管４の先端の切り欠き１２は開放されている状態であると、地下タンク１内をある程度、加圧状態に保持しながら、開口部１３の下面以下に滞留している液体を切り欠き１２が設けられていることによって取出すことができるので、地下タンク１内の液体を確実に取出すことができる。
【００４３】
なお、本実施例は取出し管４の先端付近の取出し管４外周とフロート１５内周との間にごみ等が付着した場合においてもフロート１５が取出し管４の軸方向へ移動する確実性を高めるためバネ１６を備えているが、必ずしもバネ１６を備えていなくても確実に液体を取出すことは可能である。
【実施例３】
【００４４】
次に本発明の第３実施例を図６に基づいて説明する。
【００４５】
第３実施例は基本的には第１実施例と略同等の構成を有する。図６は図１に丸印Ａを付した第３実施例に係る取出し管４の先端部分の拡大縦断面図である。図６に示すように、第１実施例に付加された構成として、地下タンク１の底面に当接するまで進入された取出し管４の先端部分には適宜、第二の連通路として連通孔２０を設けている。
【００４６】
連通孔２０において外部開口２０ｂは内部開口２０ａよりも地下タンク１の底面側に位置しており、取出し管４の軸線に対し傾斜した孔を形成している。
【００４７】
次に作用及び効果について説明する。地下タンク１内へ加圧気体が送圧され、地下タンク１内が加圧状態になった場合、取出し管４の連通孔２０内へ気体が外部開口２０ｂに流入する。連通孔２０は傾斜されているので、内部開口２０ａから流出した気体は取出し管４内にて上方へと流れる。そこで弁本体８を開放させた状態にすると、連通孔２０の内側開口部分近傍に負圧が発生し、取出し管４内の底面際に残存している液体を上方へ導く。
【００４８】
その結果、取出し管４内に負圧を早期に発生することができ、かつ傾斜した連通孔２０から加圧された気体が上方へ排出されることで取出し管４内の残留した液体が同様に上方へ移動しやすくなり、より早く液体を取出すことができる。しかも、地下タンク１と接している取出し管４の先端には切り欠き１２が設けられているので、地下タンク１の底面に残留している少量の液体も確実に取出すことができる。
【産業上の利用可能性】
【００４９】
上記実施例では、液体収容容器として地下タンクを例に挙げたが、これに限らず挿通孔が設けられた液体収容容器であれば良いので、例えばドラム管に収容された液体を取出すことも可能である。
【符号の説明】
【００５０】
１     地下タンク
２     取出し孔
３     ガイド部材
４     取出し管
５     加圧管
６     加圧ポンプ
９     フタ部材（ガイド部材と取出し孔における）
１０   シール部材
１２   切り欠き（第一の連通路）
２０   連通孔（第二の連通路）
【図１】
2011011795.tif 000003
【図２】
2011011795.tif 000004
【図３】
2011011795.tif 000005
【図４】
2011011795.tif 000006
【図５】
2011011795.tif 000007
【図６】
2011011795.tif 000008